(57)【要約】【課題】奥側のディスプレイに表示されている選択用項目に対する操作性を向上することができる、表示システム、表示方法、及び表示プログラムを提供すること。【解決手段】複数のディスプレイが距離を隔てて重畳配置された表示システムにおいて、前方ディスプレイ１１の前方に重畳配置された接触検出面を有するタッチパネル１０と、前方ディスプレイ１１の表示制御を行う前方制御部１３ａと、前方ディスプレイ１１を通して視認可能な後方ディスプレイ１２の表示制御を行う後方制御部１３ｂとを備える。タッチパネル１０を介して選択可能な選択用項目が、後方制御部１３ｂによって後方ディスプレイ１２に表示されている場合、当該選択用項目に対応する選択受付領域として、当該選択用項目の表示面積よりも大きな面積の領域を、接触検出面における当該選択用項目に対応する位置に設定する。【選択図】図１
2013131191.tif 000002
【特許請求の範囲】
【請求項１】
複数のディスプレイが距離を隔てて重畳配置された表示システムにおいて、
前方ディスプレイの前方に重畳配置された接触検出面を有する入力手段と、
前記前方ディスプレイの表示制御を行う前方制御手段と、
前記前方ディスプレイを通して視認可能な後方ディスプレイの表示制御を行う後方制御手段とを備え、
前記入力手段を介して選択可能な選択用項目が、前記後方制御手段によって前記後方ディスプレイに表示されている場合、当該選択用項目に対応する選択受付領域として、当該選択用項目の表示面積よりも大きな面積の領域を、前記接触検出面における当該選択用項目に対応する位置に設定する、
表示システム。
【請求項２】
前記前方制御手段は、前記選択受付領域を識別するための識別用表示を、前記前方ディスプレイにおける前記選択受付領域に対応する位置に表示する、
請求項１に記載の表示システム。
【請求項３】
前記入力手段を介して選択可能な選択用項目が、前記前方制御手段によって前記前方ディスプレイに表示されていると共に、前記後方制御手段によって前記後方ディスプレイに表示されている場合であって、これら前方ディスプレイに表示された選択用項目と後方ディスプレイに表示された選択用項目とが相互に重畳することとなった場合に、当該後方ディスプレイに表示された選択用項目を前方ディスプレイに表示された選択用項目と重畳しない位置に移動させると共に、当該移動後の選択用項目に対応する選択受付領域を、前記接触検出面における当該移動後の選択用項目に対応する位置に設定する、
請求項１又は２に記載の表示システム。
【請求項４】
前記入力手段を介して選択可能な選択用項目が、前記後方制御手段によって前記後方ディスプレイに表示される場合、当該選択用項目を前記前方制御手段によって前記前方ディスプレイに表示すると共に、当該選択用項目に対応する選択受付領域を、前記接触検出面において、前記前方ディスプレイに表示した当該選択用項目に対応する位置に設定する、
請求項１又は２に記載の表示システム。
【請求項５】
複数のディスプレイが距離を隔てて重畳配置された表示システムを用いた表示方法において、
前方ディスプレイの前方に重畳配置された接触検出面を有する入力手段を介して入力を受け付ける入力ステップと、
前記前方ディスプレイの表示制御を行う前方制御ステップと、
前記前方ディスプレイを通して視認可能な後方ディスプレイの表示制御を行う後方制御ステップとを含み、
前記入力手段を介して選択可能な選択用項目が、前記後方制御ステップで前記後方ディスプレイに表示されている場合、当該選択用項目に対応する選択受付領域として、当該選択用項目の表示面積よりも大きな面積の領域を、前記接触検出面における当該選択用項目に対応する位置に設定する、
表示方法。
【請求項６】
請求項５に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、乗員から見て手前側の第一ディスプレイと奥側の第二ディスプレイを重畳して配置した多層ディスプレイを有するナビゲーション装置であって、第一ディスプレイに第一の高さ情報を有する道路を、第二ディスプレイに第二の高さ情報を有する道路をそれぞれ表示して、１つの道路地図を描画する装置が提案されている。この装置は、タッチパネルを一体に有し、このタッチパネルを介して乗員からの操作を受け付けることが可能となっている（例えば、特許文献１参照）。
【０００３】
このような従来のナビゲーション装置においては、手前側の第一ディスプレイや奥側の第二ディスプレイに選択用項目を表示した場合には、この選択用項目に対応する選択受付領域を、タッチパネルの接触検出面における当該選択用項目に対応する位置に、当該選択用項目に対応する形状で設定していた。
【先行技術文献】
【特許文献】
【０００４】
【特許文献１】特開２０１１−１４５１７２号公報
【発明の概要】
【発明が解決しようとする課題】
【０００５】
しかしながら、上述の如き従来のナビゲーション装置においては、複数のディスプレイを相互に間隔を隔てて配置しているため、奥側のディスプレイに選択用項目を表示した場合には、タッチパネルに対する操作性が低下する可能性があった。すなわち、奥側のディスプレイに表示した選択用項目をユーザが斜め方向から目視した場合、当該選択用項目に対応するタッチパネルの選択受付領域に関して、ユーザが想定した選択受付領域の位置と実際に設定された選択受付領域の位置が相互にずれる可能性があり、スムーズに操作を行うことができない等、操作性に改善の余地があった。
【０００６】
本発明は、上記に鑑みてなされたものであって、奥側のディスプレイに表示されている選択用項目に対する操作性を向上することができる、表示システム、表示方法、及び表示プログラムを提供することを目的とする。
【課題を解決するための手段】
【０００７】
上述した課題を解決し、目的を達成するために、請求項１に記載の表示システムは、複数のディスプレイが距離を隔てて重畳配置された表示システムにおいて、前方ディスプレイの前方に重畳配置された接触検出面を有する入力手段と、前記前方ディスプレイの表示制御を行う前方制御手段と、前記前方ディスプレイを通して視認可能な後方ディスプレイの表示制御を行う後方制御手段とを備え、前記入力手段を介して選択可能な選択用項目が、前記後方制御手段によって前記後方ディスプレイに表示されている場合、当該選択用項目に対応する選択受付領域として、当該選択用項目の表示面積よりも大きな面積の領域を、前記接触検出面における当該選択用項目に対応する位置に設定する。
【０００８】
請求項２に記載の表示システムは、請求項１に記載の表示システムにおいて、前記前方制御手段は、前記選択受付領域を識別するための識別用表示を、前記前方ディスプレイにおける前記選択受付領域に対応する位置に表示する。
【０００９】
請求項３に記載の表示システムは、請求項１又は２に記載の表示システムにおいて、前記入力手段を介して選択可能な選択用項目が、前記前方制御手段によって前記前方ディスプレイに表示されていると共に、前記後方制御手段によって前記後方ディスプレイに表示されている場合であって、これら前方ディスプレイに表示された選択用項目と後方ディスプレイに表示された選択用項目とが相互に重畳することとなった場合に、当該後方ディスプレイに表示された選択用項目を前方ディスプレイに表示された選択用項目と重畳しない位置に移動させると共に、当該移動後の選択用項目に対応する選択受付領域を、前記接触検出面における当該移動後の選択用項目に対応する位置に設定する。
【００１０】
請求項４に記載の表示システムは、請求項１又は２に記載の表示システムにおいて、前記入力手段を介して選択可能な選択用項目が、前記後方制御手段によって前記後方ディスプレイに表示される場合、当該選択用項目を前記前方制御手段によって前記前方ディスプレイに表示すると共に、当該選択用項目に対応する選択受付領域を、前記接触検出面において、前記前方ディスプレイに表示した当該選択用項目に対応する位置に設定する。
【００１１】
請求項５に記載の表示方法は、複数のディスプレイが距離を隔てて重畳配置された表示システムを用いた表示方法において、前方ディスプレイの前方に重畳配置された接触検出面を有する入力手段を介して入力を受け付ける入力ステップと、前記前方ディスプレイの表示制御を行う前方制御ステップと、前記前方ディスプレイを通して視認可能な後方ディスプレイの表示制御を行う後方制御ステップとを含み、前記入力手段を介して選択可能な選択用項目が、前記後方制御ステップで前記後方ディスプレイに表示されている場合、当該選択用項目に対応する選択受付領域として、当該選択用項目の表示面積よりも大きな面積の領域を、前記接触検出面における当該選択用項目に対応する位置に設定する。
【００１２】
請求項６に記載の表示プログラムは、請求項５に記載の方法をコンピュータに実行させる表示プログラムである。
【発明の効果】
【００１３】
請求項１に記載の表示システム、請求項５に記載の表示方法、及び請求項６に記載の表示プログラムによれば、入力手段を介して選択可能な選択用項目が、後方ディスプレイに表示されている場合、当該選択用項目に対応する選択受付領域として、当該選択用項目の表示面積よりも大きな面積の領域を、接触検出面における当該選択用項目に対応する位置に設定するので、後方ディスプレイに表示した選択用項目をユーザが斜め方向から目視した場合において、当該選択用項目に対応する入力手段の選択受付領域に関して、ユーザが想定した選択受付領域の位置と実際に設定された選択受付領域の位置が相互にずれている場合であっても、選択用項目を容易に選択操作でき、操作性を向上させることができる。
【００１４】
請求項２に記載の表示システムによれば、選択受付領域を識別するための識別用表示を、前方ディスプレイにおける選択受付領域に対応する位置に表示するので、実際に設定された選択受付領域の位置をユーザが容易かつ正確に把握することが可能になり、選択用項目を一層容易かつ正確に選択操作できるので、操作性を一層向上させることができる。
【００１５】
請求項３に記載の表示システムによれば、入力手段を介して選択可能な選択用項目が、前方ディスプレイに表示されていると共に、後方ディスプレイに表示されている場合であって、これら前方ディスプレイに表示された選択用項目と後方ディスプレイに表示された選択用項目とが相互に重畳することとなった場合に、当該後方ディスプレイに表示された選択用項目を前方ディスプレイに表示された選択用項目と重畳しない位置に移動させると共に、当該移動後の選択用項目に対応する選択受付領域を、接触検出面における当該移動後の選択用項目に対応する位置に設定するので、選択用項目を重複させることなく表示等でき、ユーザはこれら選択用項目を一層容易かつ正確に選択操作できるので、視認性や操作性を一層向上させることができる。
【００１６】
請求項４に記載の表示システムによれば、入力手段を介して選択可能な選択用項目が、後方制御手段によって後方ディスプレイに表示される場合、当該選択用項目を前方制御手段によって前方ディスプレイに表示すると共に、当該選択用項目に対応する選択受付領域を、接触検出面において、前方ディスプレイに表示した当該選択用項目に対応する位置に設定するので、ユーザは後方ディスプレイよりも位置ずれが少ない前方ディスプレイに表示された選択用項目を見ながら操作を行うことができるので、選択用項目を容易かつ正確に選択操作でき、操作性を向上させることができる。
【図面の簡単な説明】
【００１７】
【図１】本発明の実施の形態１に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】表示処理のフローチャートである。
【図５】選択受付領域設定処理のフローチャートである。
【図６】表示変更処理のフローチャートである。
【図７】前方ディスプレイ又は後方ディスプレイの表示を例示した正面図であり、図７（ａ）は前方ディスプレイの表示を例示した図、図７（ｂ）は後方ディスプレイの表示を例示した図である。
【図８】実施の形態２に係る表示処理のフローチャートである。
【図９】基本表示処理のフローチャートである。
【図１０】実施の形態３に係る表示処理のフローチャートである。
【図１１】基本表示処理のフローチャートである。
【図１２】前方ディスプレイ又は後方ディスプレイの表示を例示した正面図であり、図１２（ａ）は前方ディスプレイの表示を例示した図、図１２（ｂ）は後方ディスプレイの表示を例示した図である。
【図１３】実施の形態４に係る基本表示処理のフローチャートである。
【図１４】前方ディスプレイ又は後方ディスプレイの表示を例示した正面図であり、図１４（ａ）は前方ディスプレイの表示を例示した図、図１４（ｂ）は後方ディスプレイの表示を例示した図である。
【発明を実施するための形態】
【００１８】
以下、本発明に係る表示システム、表示方法、及び表示プログラムの各実施の形態について図面を参照しつつ詳細に説明する。ただし、各実施の形態によって本発明が限定されるものではない。なお、本発明に係る表示システム、表示方法、及び表示プログラムは、任意の目的に使用することができるが、以下の実施の形態では、カーナビゲーションシステムに適用した例を示す。
【００１９】
〔実施の形態１〕
最初に、実施の形態１に係る表示システムについて説明する。この実施の形態１は、選択受付領域を識別するための識別用表示を、前方ディスプレイにおける選択受付領域に対応する位置に表示する形態である。
【００２０】
（構成）
最初に、実施の形態１に係る表示システムの構成について説明する。図１は実施の形態１に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２１】
（構成−タッチパネル）
タッチパネル１０は、接触検出面を有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面を備えた公知のタッチパネルを使用することができる。
【００２２】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２３】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２４】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２５】
また、後方ディスプレイ１２が液晶ディスプレイである場合、図２に示すように、後方ディスプレイ１２を構成する液晶パネルの後方にバックライト１５が設けられる。このバックライト１５から発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライト１５は不要となる。
【００２６】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００２７】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００２８】
この制御部１３は、機能概念的に、前方制御部１３ａ及び後方制御部１３ｂを備えている。前方制御部１３ａは、前方ディスプレイ１１の表示制御を行う前方制御手段である。後方制御部１３ｂは、前方ディスプレイを通して視認可能な後方ディスプレイ１２の表示制御を行う後方制御手段である。この後方制御部１３ｂは、仮想的に重畳された複数の表示レイヤー毎の表示制御を行う。これらの制御部１３の各部によって実行される処理の詳細については後述する。
【００２９】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３０】
（処理−表示処理）
次に、このように構成された表示システム１によって実行される表示処理について説明する。図４は表示処理のフローチャートである（以下の各処理の説明ではステップを「Ｓ」と略記する）。例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３１】
この処理において、前方制御部１３ａは、前方ディスプレイ１１への表示を行う（ＳＡ１）。例えば、前方制御部１３ａは、前方ディスプレイ１１に前方基本画像を描画する。「前方基本画像」とは、前方ディスプレイ１１の全面に表示する基本画像であり、例えば、単一色の無模様画像、複数色の模様画像、写真画像、地図画像等が該当する。また、前方制御部１３ａは、前方ディスプレイ１１に表示した前方基本画像に前方ボタンを重畳描画する。「前方ボタン」とは、ユーザがタッチパネル１０を介して選択可能なものとして、前方ディスプレイ１１に表示される選択用項目である。
【００３２】
次に、後方制御部１３ｂは、後方ディスプレイ１２への表示を行う（ＳＡ２）。例えば、後方制御部１３ｂは、後方ディスプレイ１２に後方基本画像を描画する。「後方基本画像」とは、後方ディスプレイ１２の全面に表示する基本画像であって、例えば、単一色の無模様画像、複数色の模様画像、写真画像、地図画像等が該当する。また、後方制御部１３ｂは、後方ディスプレイ１２に表示した後方基本画像に後方ボタンを重畳描画する。「後方ボタン」とは、ユーザがタッチパネル１０を介して選択可能なものとして、後方ディスプレイ１２に表示される選択用項目である。
【００３３】
（処理−表示処理−選択受付領域設定処理）
次に、制御部１３は、選択受付領域設定処理を起動する（ＳＡ３）。図５は選択受付領域設定処理のフローチャートである。この処理において、制御部１３は、前方ボタンに対応する選択受付領域を設定する（ＳＢ１）。例えば、制御部１３は、ＳＡ１で前方ディスプレイ１１に描画した前方ボタンの選択受付領域を、タッチパネル１０の接触検出面における当該前方ボタンに対応する領域に設定する。なお、「対応する領域」とは、前方ボタン又は後方ボタンの表示領域を、前方ディスプレイ１１と後方ディスプレイ１２との並設方向に沿って、タッチパネル１０の接触検出面に投影した領域を意味する（以下、同じ）。また、タッチパネル１０の接触検出面における当該前方（後方）ボタンに対応する領域に設定する、とはタッチパネル１０の接触検出面における接触位置が、当該前方（後方）ボタンに対応するタッチパネル１０の接触検出面における接触位置である場合に、前方（後方）ボタンへの入力がなされた識別できるように制御部１３が設定される（判断する）ということとする。
【００３４】
その後、制御部１３は、後方ボタンの表示面積よりも大きな面積の選択受付領域が、ＳＢ１で設定した前方ボタンに対応する選択受付領域と重複するか否かを判定する（ＳＢ２）。すなわち、本実施の形態においては、前方ボタンと後方ボタンとは相互に重畳しないように表示されることを前提としているため、前方ボタンに対応する選択受付領域と、後方ボタンに対応する選択受付領域も、基本的には重複しない。しかしながら、従来の課題を解決するため、後方ボタンに対応する選択受付領域については、当該後方ボタンの表示面積よりも大きな面積の選択受付領域を設定する。このように後方ボタンの選択受付領域を大きな面積とした場合、この選択受付領域が、前方ボタンに対応する選択受付領域と重複する可能性が生じるため、ＳＢ２においてこの重複の有無を判定する。ここで、「後方ボタンの表示面積よりも大きな面積の選択受付領域」としては、例えば、後方ボタンを、一定割合（１０％等）や一定寸法（５ｍｍ等）だけ全体的に拡大して相似形状の選択受付領域とする場合や、後方ボタンで特にユーザが誤認し易いと想定される横方向の部分のみを一定割合や一定寸法だけ拡張した選択受付領域とする場合を挙げることができる。以下では、後方ボタンを一定割合で全体的に拡大して相似形状の選択受付領域にする場合について説明する。また、重複判定においては、後方ボタンの中心位置と、大きな面積とした選択受付領域の中心位置とが、前方ディスプレイ１１と後方ディスプレイ１２との並設方向に沿って一致するように、選択受付領域を配置することを前提とする。
【００３５】
そして、重複すると判定した場合（ＳＢ２、Ｙｅｓ）、制御部１３は、後方ボタンの選択受付領域を大きくすることなく、前方ボタンの場合と同様に、後方ボタンの面積と同じ面積の選択受付領域を、後方ボタンに対応する選択受付領域として設定する（ＳＢ３）。例えば、制御部１３は、ＳＡ２で後方ディスプレイ１２に描画した後方ボタンの選択受付領域を、タッチパネル１０の接触検出面における当該後方ボタンに対応する領域に設定する。
【００３６】
一方、重複しないと判定した場合（ＳＢ２、Ｎｏ）、制御部１３は、後方ボタンに対応する選択受付領域を、上述のように、当該後方ボタンの表示面積よりも大きな面積の選択受付領域として、接触検出面における後方ボタンに対応する位置に設定する（ＳＢ４）。例えば、後方ボタンの中心位置と、大きな面積とした選択受付領域の中心位置とが、前方ディスプレイ１１と後方ディスプレイ１２との並設方向に沿って一致するように、選択受付領域を設定する。これにて選択受付領域設定処理を終了し、図４の表示処理に戻る。
【００３７】
（処理−表示処理−表示変更処理）
その後、制御部１３は、表示変更処理を起動する（ＳＡ４）。図６は表示変更処理のフローチャートである。この処理において、後方制御部１３ｂは、後方ボタンの選択受付領域を識別するための識別用表示を、前方ディスプレイ１１における選択受付領域に対応する位置に表示する（ＳＣ１）。「後方ボタンの選択受付領域を識別するための識別用表示」とは、後方ボタンに対応するものとしてタッチパネル１０の接触検出面に設定された選択受付領域の設定範囲を、ユーザが目視により認識可能とするための表示である。例えば、識別用表示としては、選択受付領域の外形に対応する形状及び大きさの枠線や、選択受付領域に対応する形状及び大きさのベタ塗り図形を挙げることができる。この実施の形態では、前者の識別用表示を表示する場合について説明する。
【００３８】
図７は、前方ディスプレイ１１又は後方ディスプレイ１２の表示を例示した正面図であり、図７（ａ）は前方ディスプレイ１１の表示を例示した図、図７（ｂ）は後方ディスプレイ１２の表示を例示した図である。図７（ｂ）に示すように、後方ディスプレイ１２には、２つの後方ボタン１２ａ、１２ｂが表示されている。そして、図７（ａ）に示すように、前方ディスプレイ１１には、後方ボタン１２ａに対応する識別用表示１１ａと、後方ボタン１２ｂに対応する識別用表示１１ｂとが表示されている。この図７（ａ）では、想像線によって後方ボタン１２ａ、１２ｂに対応する外形を示しており、実線によって識別用表示１１ａ、１１ｂを示していて、識別用表示１１ａ、１１ｂの面積が後方ボタン１２ａ、１２ｂの面積より大きくなっていることが判る。これにて表示変更処理を終了し、図４の表示処理を終了する。
【００３９】
なお、この表示処理の後、制御部１３は、タッチパネル１０の接触検出面に対するユーザ操作を監視し、ユーザ操作があった場合には、当該操作が行われた選択受付領域に対応する前方ボタン又は後方ボタンの制御を実行する。この場合、後方ボタンの選択受付領域が拡大されている場合には、当該拡大された選択受付領域に対するユーザ操作があった場合に、当該操作が行われた選択受付領域に対応する後方ボタンの制御を実行する。
【００４０】
（実施の形態１の効果）
このように実施の形態１によれば、タッチパネル１０を介して選択可能な選択用項目が、後方ディスプレイ１２に表示されている場合、当該選択用項目に対応する選択受付領域として、当該選択用項目の表示面積よりも大きな面積の領域を、接触検出面における当該選択用項目に対応する位置に設定するので、後方ディスプレイ１２に表示した選択用項目をユーザが斜め方向から目視した場合において、当該選択用項目に対応する入力手段の選択受付領域に関して、ユーザが想定した選択受付領域の位置と実際に設定された選択受付領域の位置が相互にずれている場合であっても、選択用項目を容易に選択操作でき、操作性を向上させることができる。
【００４１】
また、選択受付領域を識別するための識別用表示を、前方ディスプレイ１１における選択受付領域に対応する位置に表示するので、実際に設定された選択受付領域の位置をユーザが容易かつ正確に把握することが可能になり、選択用項目を一層容易かつ正確に選択操作できるので、操作性を一層向上させることができる。
【００４２】
〔実施の形態２〕
次に、実施の形態２に係る表示システムについて説明する。この実施の形態２は、前方ディスプレイ１１に表示された選択用項目と後方ディスプレイ１２に表示された選択用項目とが相互に重畳することとなった場合に、後方ディスプレイ１２に表示された選択用項目を重畳しない位置に移動させると共に、移動後の選択用項目に対応する選択受付領域を当該移動後の選択用項目に対応する位置に設定する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００４３】
（処理−表示処理−基本表示処理）
本実施の形態に係る表示システムによって実行される表示処理について説明する。図８は本実施の形態に係る表示処理のフローチャートである。この処理において、制御部１３は、基本表示処理を起動する（ＳＤ１）。図９は基本表示処理のフローチャートである。まず、前方制御部１３ａは、図４のＳＡ１と同様に、前方ディスプレイ１１への表示を行う（ＳＥ１）。すなわち、前方制御部１３ａは、前方基本画像と前方ボタンを前方ディスプレイ１１に表示する。
【００４４】
次に、後方制御部１３ｂは、図４のＳＡ２と同様に、後方基本画像を後方ディスプレイ１２に表示する（ＳＥ２）。次いで、後方制御部１３ｂは、後方ディスプレイ１２に表示する後方ボタンが、ＳＥ１で表示された前方ボタンと重複するか否かを判定する（ＳＥ３）。このため、例えば、後方制御部１３ｂは、ＳＥ１で表示された前方ボタンの前方表示座標を前方制御部１３ａから取得する。「前方表示座標」とは、前方ディスプレイ１１の表示領域に設定された座標であって、例えば、この表示領域における特定位置を原点とするＸ−Ｙ座標である。また、後方制御部１３ｂは、後方ディスプレイ１２に描画する後方ボタンの前方対応座標を取得する。「前方対応座標」とは、後方制御部１３ｂによって後方ディスプレイ１２に描画した後方ボタンの後方表示座標を、当該後方表示座標に対応する位置の前方表示座標に変換することによって得られた座標である。ここで、「後方表示座標」とは、後方ディスプレイ１２の表示領域に設定された座標であって、例えば、この表示領域における特定位置を原点とするＸ−Ｙ座標である。後方制御部１３ｂは、後方ボタンの後方表示座標を前方表示座標系における座標に所定方法で変換することにより、後方ボタンの前方対応座標を取得する。この際、前方表示座標と後方表示座標が一意に対応する場合（例えば、前方ディスプレイ１１の原点位置と後方ディスプレイ１２の原点位置とが相互に対応する位置にあり、前方表示座標のＸ−Ｙ座標と後方表示座標のＸ−Ｙ座標とが同一の座標系である場合）、後方ボタンの後方表示座標がそのまま前方対応座標となる。そして、後方制御部１３ｂは、前方ボタンの前方表示座標と後方ボタンの前方対応座標とが、少なくともその一部において重複するか否かを判定し、重複する場合には後方ボタンが前方ボタンと重複するものと判定し、一部も重複しない場合には後方ボタンが前方ボタンと重複しないものと判定する。
【００４５】
重複しないものと判定した場合（ＳＥ３、Ｎｏ）、後方制御部１３ｂは、図４のＳＡ２と同様に、後方ボタンを後方ディスプレイ１２に表示する（ＳＥ４）。すなわち、重複しない場合には、後方ボタンを移動させる必要がないため、後方ボタンを所定方法で決定された初期の位置に表示する。
【００４６】
一方、重複するものと判定した場合（ＳＥ３、Ｙｅｓ）、後方制御部１３ｂは、後方ボタンを、前方ディスプレイ１１に表示された前方ボタンと重畳しない位置に移動させた上で、後方ディスプレイ１２に表示する（ＳＥ５）。この移動先の位置の具体的な決定方法は任意であり、例えば、前方ボタン（前方ボタンが複数存在する場合には、全ての前方ボタン）から所定距離を隔てた位置に移動させて表示する。これにて基本表示処理を終了し、図８の表示処理に戻る。
【００４７】
（処理−表示処理−選択受付領域設定処理）
次に、制御部１３は、選択受付領域設定処理を起動する（ＳＤ２）。この処理は、図５の処理と同様に行うことができる。ただし、ＳＢ４において、図９のＳＥ４で後方ボタンを初期の位置に表示した場合には、当該初期の位置に対応する位置に選択受付領域を表示し、図９のＳＥ５で後方ボタンを初期の位置から移動させた位置に表示した場合には、当該移動後の後方ボタンに対応する選択受付領域を、接触検出面における当該移動後の後方ボタンに対応する位置に表示する。これにて選択受付領域設定処理を終了し、表示処理に戻り、図４のＳＡ４と同様に表示変更処理を行って、表示処理を終了する。
【００４８】
（実施の形態２の効果）
このように実施の形態２によれば、タッチパネル１０を介して選択可能な選択用項目が、後方ディスプレイ１２に表示されている場合、当該選択用項目に対応する選択受付領域として、当該選択用項目の表示面積よりも大きな面積の領域を、接触検出面における当該選択用項目に対応する位置に設定するので、後方ディスプレイ１２に表示した選択用項目をユーザが斜め方向から目視した場合において、当該選択用項目に対応する入力手段の選択受付領域に関して、ユーザが想定した選択受付領域の位置と実際に設定された選択受付領域の位置が相互にずれている場合であっても、選択用項目を容易に選択操作でき、操作性を向上させることができる。
【００４９】
また、タッチパネル１０を介して選択可能な選択用項目が、前方ディスプレイ１１に表示されていると共に、後方ディスプレイ１２に表示されている場合であって、これら前方ディスプレイ１１に表示された選択用項目と後方ディスプレイ１２に表示された選択用項目とが相互に重畳することとなった場合に、当該後方ディスプレイ１２に表示された選択用項目を前方ディスプレイ１１に表示された選択用項目と重畳しない位置に移動させると共に、当該移動後の選択用項目に対応する選択受付領域を、接触検出面における当該移動後の選択用項目に対応する位置に設定するので、選択用項目を重複させることなく表示等でき、ユーザはこれら選択用項目を一層容易かつ正確に選択操作できるので、視認性や操作性を一層向上させることができる。
【００５０】
〔実施の形態３〕
次に、実施の形態３に係る表示システムについて説明する。この実施の形態３は、選択用項目を後方ディスプレイに表示した場合に、前方ディスプレイにも選択用項目を表示する形態である。なお、実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５１】
（処理−表示処理−基本表示処理）
本実施の形態に係る表示システムによって実行される表示処理について説明する。図１０は本実施の形態に係る表示処理のフローチャートである。この処理において、制御部１３は、基本表示処理を起動する（ＳＦ１）。図１１は基本表示処理のフローチャートである。この処理において、前方制御部１３ａは、前方ディスプレイ１１に前方基本画像を描画する（ＳＧ１）。次に、後方制御部１３ｂは、後方ディスプレイ１２に後方基本画像を描画する（ＳＧ２）。次いで、前方制御部１３ａは、前方ディスプレイ１１に前方ボタンを描画する（ＳＧ３）。前方制御部１３ａは、この前方ボタンを前方基本画像に重畳描画する。その後、後方制御部１３ｂは、後方ディスプレイ１２に描画する後方ボタンがあるか否かを判定する（ＳＧ４）。そして、後方ボタンがない場合には（ＳＧ４、Ｎｏ）、基本表示処理を終了する。
【００５２】
一方、後方ボタンがある場合（ＳＧ４、Ｙｅｓ）、後方制御部１３ｂは、当該後方ボタンが、ＳＧ３で前方ディスプレイ１１に描画した前方ボタンと重畳するか否かを判定する（ＳＧ５）。すなわち、本実施の形態においては、後方ボタンを後方ディスプレイ１２に表示する場合には、この後方ボタンをさらに前方ディスプレイ１１にも表示することで、後方ボタンの視認性や操作性を向上させる（以下、このように前方ディスプレイ１１に表示する後方ボタンを「前方表示ボタン」と称する）。しかし、前方表示ボタンが前方ボタンと重畳する場合には、前方表示ボタンを表示できないため、ＳＧ５においてこの重畳の有無を判定する。このため、例えば、後方制御部１３ｂは、前方ボタンの前方表示座標を前方制御部１３ａから取得する。また、後方制御部１３ｂは、後方ボタンの後方表示座標を取得する。そして、後方制御部１３ｂは、後方ボタンの後方表示座標を前方表示座標系における座標に所定方法で変換することにより、後方ボタンの前方対応座標を取得する。そして、後方制御部１３ｂは、前方ボタンの前方表示座標と後方ボタンの前方対応座標とが、少なくともその一部において重複するか否かを判定し、重複する場合には後方ボタンが前方ボタンと重複するものと判定し、一部も重複しない場合には後方ボタンが前方ボタンと重複しないものと判定する。
【００５３】
そして、重複しない場合（ＳＧ５、Ｎｏ）、後方制御部１３ｂは、後方ディスプレイ１２に後方ボタンを描画し、前方制御部１３ａは、当該後方ボタンに対応する前方表示ボタンを前方ディスプレイ１１に描画する（ＳＧ６）。すなわち、本実施の形態では、後方ボタンを後方ディスプレイ１２に描画することに加えて、前方表示ボタンを前方ディスプレイ１１にも描画する。この前方表示ボタンの描画は、後方ボタンと同一の表示画像を、前方ディスプレイ１１における、後方ディスプレイ１２の後方ボタンの位置に対応する位置に描画することにより行う。
【００５４】
一方、重複する場合（ＳＧ５、Ｙｅｓ）、後方制御部１３ｂは、後方ディスプレイ１２における後方ボタンの描画位置を移動させた上で当該後方ディスプレイ１２に描画し、前方制御部１３ａは、当該後方ボタンに対応する前方表示ボタンを前方ディスプレイ１１に描画する（ＳＧ７）。すなわち、後方制御部１３ｂは、後方ボタンの描画位置を初期位置とは異なる位置に移動させながら、ＳＧ５と同様に重複判定を行い、重複しないと判定された位置を、後方ボタンの描画位置とする。また、前方制御部１３ａは、前方ディスプレイ１１における、当該移動後の後方ボタンに対応する位置に、前方表示ボタンを描画する。これにて基本表示処理を終了し、図１０の表示処理に戻る。
【００５５】
図１２は、前方ディスプレイ１１及び後方ディスプレイ１２の表示を例示した正面図であり、図１２（ａ）は前方ディスプレイ１１の表示を例示した図、図１２（ｂ）は後方ディスプレイ１２の表示を例示した図である。図１２（ｂ）に示すように、後方ディスプレイ１２に、２つの後方ボタン１２ａ、１２ｂが表示されていると共に、図１２（ａ）に示すように、前方ディスプレイ１１に、後方ボタン１２ａに対応する位置及び形状で前方表示ボタン１１ａが表示されると共に、後方ボタン１２ｂに対応する位置及び形状で前方表示ボタン１１ｂが表示されている。
【００５６】
（処理−表示処理）
図１０の表示処理において、制御部１３は、前方ボタンに対応する選択受付領域と、前方表示ボタン及び後方ボタンに対応する選択受付領域とを設定する（ＳＦ２）。例えば、制御部１３は、ＳＧ３で前方ディスプレイ１１に描画した前方ボタンの選択受付領域を、タッチパネル１０の接触検出面における当該前方ボタンに対応する領域に設定する。また、同様に、制御部１３は、ＳＧ６又はＳＧ７で後方ディスプレイ１２に描画した後方ボタンの選択受付領域と前方ディスプレイ１１に描画した前方表示ボタンの選択受付領域とを、タッチパネル１０の接触検出面における当該前方ボタンに対応する領域に設定する。ただし、後方ボタンの選択受付領域と前方表示ボタンの選択受付領域とは、タッチパネル１０の接触検出面における同一の領域に設定されるため、実質的には、後方ボタンと前方表示ボタンのいずれか一方の選択受付領域を設定したことと同じ処理となる。これにて表示処理を終了する。
【００５７】
なお、この表示処理の後、制御部１３は、タッチパネル１０の接触検出面に対するユーザ操作を監視し、ユーザ操作があった場合には、当該操作が行われた選択受付領域に対応する前方ボタン、あるいは後方ボタン及び前方表示ボタンの制御を実行する。
【００５８】
（実施の形態３の効果）
このように実施の形態３によれば、後方ボタンを前方表示ボタンとして前方ディスプレイ１１に表示すると共に、前方表示ボタンに対応する選択受付領域を接触検出面に設定するので、ユーザは後方ディスプレイ１２よりも位置ずれが少ない前方ディスプレイ１１に表示された前方表示ボタンを見ながら操作を行うことができるので、前方表示ボタンを容易に選択操作でき、操作性を向上させることができる。
【００５９】
また、前方ディスプレイ１１に表示する前方表示ボタンが前方ディスプレイ１１に表示された前方ボタンに重畳することとなった場合に、前方表示ボタンを前方ボタンと重畳しない位置に移動させると共に、移動後の前方表示ボタンに対応する選択受付領域を設定するので、前方ディスプレイ１１に前方表示ボタンを前方ボタンと重複させることなく表示等でき、ユーザは前方表示ボタンを一層容易かつ正確に選択操作できるので、視認性や操作性を一層向上させることができる。
【００６０】
また、前方表示ボタンを前方制御部１３ａによって前方ディスプレイ１１に表示した場合に、後方ディスプレイ１２にも後方ボタンを表示するので、前方表示ボタンと後方ボタンとを重畳表示させることができ、特に前方表示ボタンの明度が比較的高い場合には、前方表示ボタンを一層明確に表示することができ、視認性を一層向上させることができる。
【００６１】
〔実施の形態４〕
次に、実施の形態４に係る表示システムについて説明する。この実施の形態４は、選択用項目を前方制御手段によって前方ディスプレイに表示した場合に、後方ディスプレイには選択用項目を表示しない形態である。なお、実施の形態４の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００６２】
（処理−表示処理−基本表示処理）
本実施の形態に係る表示システムによって実行される表示処理について説明する。図１３は本実施の形態に係る基本表示処理のフローチャートである。この処理において、ＳＨ１〜ＳＨ５は、図１１のＳＧ１〜ＳＧ５と同じであるため、その説明を省略する。
【００６３】
ＳＨ５において重複しないと判定した場合（ＳＨ５、Ｎｏ）、後方制御部１３ｂは、後方ディスプレイ１２に後方ボタンを描画せず、前方制御部１３ａは、当該後方ボタンに対応する前方表示ボタンを前方ディスプレイ１１に描画する（ＳＨ６）。すなわち、本実施の形態では、後方ボタンは後方ディスプレイ１２に描画せず、前方表示ボタンのみを前方ディスプレイ１１に描画する。
【００６４】
一方、ＳＨ５において重複すると判定した場合（ＳＨ５、Ｙｅｓ）、後方制御部１３ｂは、後方ディスプレイ１２における後方ボタンの描画位置を前方ボタンと重畳しない位置に移動させた上で、当該後方ボタンは当該後方ディスプレイ１２に描画せず、前方制御部１３ａは、当該後方ボタンに対応する前方表示ボタンを前方ディスプレイ１１に描画する（ＳＨ７）。すなわち、後方制御部１３ｂは、後方ボタンの描画位置を初期位置とは異なる位置に移動させながら、ＳＧ５と同様に重複判定を行い、重複しないと判定された位置を、後方ボタンの描画位置とするが、後方ボタンの描画は行わない。また、前方制御部１３ａは、前方ディスプレイ１１における、当該移動後の後方ボタンに対応する位置に、前方表示ボタンを描画する。これにて基本表示処理を終了し、表示処理に戻る。
【００６５】
図１４は、前方ディスプレイ１１及び後方ディスプレイ１２の表示を例示した正面図であり、図１４（ａ）は前方ディスプレイ１１の表示を例示した図、図１４（ｂ）は後方ディスプレイ１２の表示を例示した図である。図１４（ｂ）に示すように、後方ディスプレイ１２には、後方ボタン（図１２（ｂ）に示した後方ボタン１２ａ、１２ｂ）が表示されておらず、図１４（ａ）に示すように、前方ディスプレイ１１には、後方ボタン（図１２（ｂ）に示した後方ボタン１２ａ）に対応する位置及び形状で前方表示ボタン１１ａが表示されると共に、後方ボタン（図１２（ｂ）に示した後方ボタン１２ｂ）に対応する位置及び形状で前方表示ボタン１１ｂが表示されている。
【００６６】
（実施の形態４の効果）
このように実施の形態４によれば、選択用項目が後方ディスプレイ１２に表示されている場合、選択用項目を前方ディスプレイ１１に表示すると共に、選択用項目に対応する選択受付領域を接触検出面に設定するので、ユーザは後方ディスプレイ１２よりも位置ずれが少ない前方ディスプレイ１１に表示された選択用項目を見ながら操作を行うことができるので、選択用項目を容易に選択操作でき、操作性を向上させることができる。
【００６７】
また、前方ディスプレイ１１に表示する選択用項目が前方ディスプレイ１１に表示された他の選択用項目に重畳することとなった場合に、選択用項目を他の選択用項目と重畳しない位置に移動させると共に、移動後の選択用項目に対応する選択受付領域を設定するので、前方ディスプレイ１１に選択用項目を他の選択用項目と重複させることなく表示等でき、ユーザは選択用項目を一層容易かつ正確に選択操作できるので、視認性や操作性を一層向上させることができる。
【００６８】
また、選択用項目を前方制御手段によって前方ディスプレイ１１に表示した場合に、後方ディスプレイ１２には選択用項目を表示しないので、選択用項目を重畳させることなく、特に比較的明度が低い場合には、選択用項目を一層明確に表示することができ、視認性を一層向上させることができる。
【００６９】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、奥側のディスプレイに表示されている選択用項目に対する操作性を完全に解決できていない場合であっても、操作性を従来技術より僅かでも向上できている場合や、従来技術とは異なる技術で従来と同等の操作性を得ている場合には、課題が解決されている。
【００７１】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００７２】
（選択用項目について）
上述の実施の形態では、選択用項目が前方ボタンや後方ボタンである場合について説明したが、選択用項目の具体的な表示の目的や形態は任意であり、例えば、音量選択用のコントロールバーであってもよい。
【００７３】
（各実施の形態の相互間の関係について）
実施の形態３では、後方ディスプレイ１２に選択用項目を表示し、実施の形態４では、後方ディスプレイ１２に選択用項目を表示しない例について説明したが、これらを相互に組み合わせることもでき、例えば、後方ディスプレイ１２に表示される複数の後方ボタンが存在する場合において、一部の後方ボタンは後方ディスプレイ１２に表示すると共に前方ディスプレイ１１に前方表示ボタンとして表示し、他の一部の後方ボタンは後方ディスプレイ１２に表示することなく前方ディスプレイ１１のみに前方表示ボタンとして表示してもよい。また、全ての選択用項目を前方ディスプレイ１１に表示する必要はなく、例えば、後方ディスプレイ１２に表示される複数の後方ボタンが存在する場合において、一部の後方ボタンは前方ディスプレイ１１に前方表示ボタンとして表示し、他の一部の後方ボタンは従来と同様に後方ディスプレイ１２のみに表示してもよい。
【００７４】
（選択用項目の拡大について）
上述の実施の形態では、後方ディスプレイ１２に表示されている選択用項目に対応する選択受付領域として、当該選択用項目の表示面積よりも大きな面積の領域を、接触検出面における選択用項目に対応する位置に設定する場合について説明した。この場合において、選択用項目に対する選択受付領域の大きさや形状を、各種条件に応じて変えてもよい。例えば、ユーザから選択用項目を見た場合の角度が斜めである程（後方ディスプレイ１２に対して直交する角度を基準とした場合、当該角度が大きい程）、選択用項目と選択受付領域との位置ずれが大きくなることが想定される場合には、ユーザから遠い位置に表示される選択用項目の方が、ユーザから近い位置に表示される選択用項目に対して、選択受付領域との位置ずれが大きくなる可能性がある。このため、後方制御部１３ｂは、後方ディスプレイ１２に表示されている選択用項目がユーザからどの程度離れているのかを特定し（例えば、ユーザ位置を公知の画像認識により特定し、当該特定したユーザの位置から選択用項目までの距離を特定し）、離れている程、選択受付領域が大きくなるようにしてもよい。この場合、例えば、複数の選択用項目を後方ディスプレイ１２に表示する場合において、これら複数の選択用項目に対応する選択受付領域の大きさを、各選択用項目のユーザからの距離に応じて、相互に異なるものとしてもよい。
【００７５】
また、後方ディスプレイ１２に表示する場合において、必ずしも全ての選択用項目に対応する選択受付領域を大きく設定する必要はなく、任意の基準により選択した一部の選択用項目に対応する選択受付領域のみを大きくしてもよい。例えば、ユーザの利用頻度が高い所定の選択用項目に対応する選択受付領域のみを大きくしてもよい。
【００７６】
（識別用表示について）
識別用表示は、必ずしも表示する必要はなく、省略してもよい。
【００７７】
（選択用項目の移動について）
上記実施の形態２では、図９のＳＥ３において、前方ボタンの前方表示座標と後方ボタンの前方対応座標とが、少なくともその一部において重複するか否かを判定しているが、この後方ボタンの前方対応座標としては、後方ボタンの後方表示座標を前方表示座標に変換した座標ではなく、後方ボタンに対応する選択受付領域であって大きな面積に設定された場合の選択受付領域の座標（タッチパネル１０の接触検出面に設定された座標系における座標）を、前方ディスプレイ１１の座標系の座標に変換した座標を使用してもよい。
【符号の説明】
【００７８】
１  表示システム
１０  タッチパネル
１１  前方ディスプレイ
１２  後方ディスプレイ
１３  制御部
１３ａ  前方制御部
１３ｂ  後方制御部
１４  データ記録部
１５  バックライト
【図１】
2013131191.tif 000003
【図２】
2013131191.tif 000004
【図３】
2013131191.tif 000005
【図４】
2013131191.tif 000006
【図５】
2013131191.tif 000007
【図６】
2013131191.tif 000008
【図７】
2013131191.tif 000009
【図８】
2013131191.tif 000010
【図９】
2013131191.tif 000011
【図１０】
2013131191.tif 000012
【図１１】
2013131191.tif 000013
【図１２】
2013131191.tif 000014
【図１３】
2013131191.tif 000015
【図１４】
2013131191.tif 000016